(57)【要約】【課題】一人でも短時間で通信設備を支持材に取り付け可能とする。【解決手段】通信設備用取付装置は、開口部（１１）を有する支持材側取付板（１）と、前記開口部に挿入可能な掛止部（２１）を有する通信設備側取付板（２）と、前記開口部に挿入可能であり、通信設備本体を取り付けた前記通信設備側取付板を、支持材に取り付けられた前記支持材側取付板に、前記掛止部を前記開口部に挿入して掛止した後に、前記開口部中の前記掛止部の上方の隙間を埋めて、通信設備本体を取り付けた前記通信設備側取付板と支持材に取り付けられた前記支持材側取付板とを固定する固定部材（３）とを備える。【選択図】図１
2012044841.tif 000002
【特許請求の範囲】
【請求項１】
開口部を有する支持材側取付板と、
前記開口部に挿入可能な掛止部を有する通信設備側取付板と、
前記開口部に挿入可能であり、通信設備本体を取り付けた前記通信設備側取付板を、支持材に取り付けられた前記支持材側取付板に、前記掛止部を前記開口部に挿入して掛止した後に、前記開口部中の前記掛止部の上方の隙間を埋めて、通信設備本体を取り付けた前記通信設備側取付板と支持材に取り付けられた前記支持材側取付板とを固定する固定部材と、
を備えることを特徴とする通信設備用取付装置。
【請求項２】
前記掛止部及び前記固定部材は、コ字状に形成されており、
前記掛止部のコ字状を形成する溝の幅と、前記固定部材のコ字状を形成する溝の幅と、前記支持材側取付板の厚さは略同一であることを特徴とする、請求項１に記載の通信設備用取付装置。
【請求項３】
前記開口部は、前記掛止部及び前記固定部材が挿入される挿入孔と、前記掛止部及び前記固定部が固定される固定孔とを有し、前記挿入孔を上部とし、前記固定孔を下部とするクランク状に形成されており、
前記固定孔の横幅と、前記掛止部の横幅は略同一であることを特徴とする、請求項１又は２に記載の通信設備用取付装置。
【請求項４】
前記開口部は、前記挿入孔及び前記固定孔の間に配置されるガイド孔を更に有し、該ガイド孔の下面及び前記挿入孔の下面は連続しており、前記ガイド孔の上面及び前記固定孔の上面は連続していることを特徴とする、請求項１から３のいずれか一項に記載の通信設備用取付装置。
【請求項５】
前記掛止部の連結部の厚さと、前記固定部材の連結部の厚さと、前記固定孔の上面及び前記挿入孔の下面の間隔は略同一であることを特徴とする、請求項３又は４に記載の通信設備用取付装置。
【発明の詳細な説明】
【技術分野】
【０００１】
本発明は、通信設備を支持材に取り付ける際に使用する、通信設備用取付装置に関するものである。
【背景技術】
【０００２】
従来、通信設備（例えば、基地局）を支持材（例えば、電柱や電柱間に張設された支持線）に取り付ける際に、専用の取付装置を用いて取り付けることが知られている（例えば、特許文献１及び２参照）。一般に、取付装置を用いて通信設備を支持材に取り付けるには、まず、取付装置を支持材に取り付け、次に、通信設備と取付装置とを、スパナやレンチ等の工具を用いて、複数箇所ボルトで仮止めし、最後に、仮止めされたボルトに対して増し締めし固定する。
【先行技術文献】
【特許文献】
【０００３】
【特許文献１】実用新案登録第３０３９０２３号公報
【特許文献２】特許第３４４５６９４号公報
【発明の概要】
【発明が解決しようとする課題】
【０００４】
しかし、従来の通信設備の取り付け方法では、工具を使用する必要があり、取付作業時の工具の落下などの危険性があった。また、取付作業には通信設備を保持する人とボルト締めをする人とを必要とし、一人で作業するのは困難であるという問題や、取付作業や交換作業において、ボルトの取り外しや締め付けに時間がかかるという問題があった。
【０００５】
本発明の目的は、上記問題を解決するため、一人でも短時間で、かつ安全に通信設備を支持材に取り付けることを可能とする通信設備用取付装置を提供することにある。
【課題を解決するための手段】
【０００６】
上記課題を解決するため、本発明に係る通信設備用取付装置は、開口部を有する支持材側取付板と、前記開口部に挿入可能な掛止部を有する通信設備側取付板と、前記開口部に挿入可能であり、通信設備本体を取り付けた前記通信設備側取付板を、支持材に取り付けられた前記支持材側取付板に、前記掛止部を前記開口部に挿入して掛止した後に、前記開口部中の前記掛止部の上方の隙間を埋めて、通信設備本体を取り付けた前記通信設備側取付板と支持材に取り付けられた前記支持材側取付板とを固定する固定部材と、を備えることを特徴とする。
【０００７】
また、本発明に係る通信設備用取付装置において、前記掛止部及び前記固定部材は、コ字状に形成されており、前記掛止部のコ字状を形成する溝の幅と、前記固定部材のコ字状を形成する溝の幅と、前記支持材側取付板の厚さは略同一であることを特徴とする。
【０００８】
また、本発明に係る通信設備用取付装置において、前記開口部は、前記掛止部及び前記固定部材が挿入される挿入孔と、前記掛止部及び前記固定部が固定される固定孔とを有し、前記挿入孔を上部とし、前記固定孔を下部とするクランク状に形成されており、前記固定孔の横幅と、前記掛止部の横幅は略同一であることを特徴とする。
【０００９】
また、本発明に係る通信設備用取付装置において、前記開口部は、前記挿入孔及び前記固定孔の間に配置されるガイド孔を更に有し、該ガイド孔の下面及び前記挿入孔の下面は連続しており、前記ガイド孔の上面及び前記固定孔の上面は連続していることを特徴とする。
【００１０】
また、本発明に係る通信設備用取付装置において、前記掛止部の連結部の厚さと、前記固定部材の連結部の厚さと、前記固定孔の上面及び前記挿入孔の下面の間隔は略同一であることを特徴とする。
【発明の効果】
【００１１】
本発明によれば、通信設備の取付作業及び交換作業をする際に、工具が不要となる。また、安全性を配慮しつつ、取付作業及び交換作業を少人数で容易に行うことができ、作業時間を短縮することができるようになる。
【図面の簡単な説明】
【００１２】
【図１】本発明による実施形態の通信設備用取付装置の構成を示す図である。
【図２】本発明による実施形態の通信設備用取付装置の要部の拡大図である。
【図３】本発明による実施形態の通信設備用取付装置を使用した通信設備の支持材への取り付けを説明する図である。
【図４】通信設備を支持材へ取り付ける前の、本発明による実施形態の通信設備用取付装置示す図である。
【図５】通信設備を支持材へ取り付た後の、本発明による実施形態の通信設備用取付装置示す図である。
【発明を実施するための形態】
【００１３】
以下、本発明による通信設備用取付装置の実施形態について、図面を参照して詳細に説明する。
【００１４】
本実施形態では、想定される基地局等の通信設備の寸法としては、容量が３０〜３５リットル、重量が２０〜２５ｋｇ程度で、コンクリート柱やアンテナ支持柱等の、柱状の支持材への取り付けを想定する。図１は、本実施形態の柱状支持材取付装置の部品構成を示す図である。図１に示すように、通信設備用取付装置は、支持材側取付板１（図１（ａ））と、通信設備側取付板２（図１（ｂ））と、固定部材３（図１（ｃ））とからなる。なお、本実施形態では、固定箇所が４箇所である場合について説明するが、これに限定されるものではない。
【００１５】
支持材側取付板１は、固定箇所数と同数（本実施形態では４つ）のクランク状の開口部１１と、複数の支持材取り付け孔１２とを有している。支持材側取付板１は、支持材取り付け孔１２に固定バンド等を通して支持材を緊締して取り付けられる。開口部１１は、後述する掛止部２１及び固定部材３が挿入可能なように形成されている。
【００１６】
通信設備側取付板２は、一方の面に、固定箇所数と同数（本実施形態では４つ）の掛止部２１と、複数の通信設備取り付け孔２２とを有する。掛止部２１は、支持材側取付板１の開口部１１に挿入可能であり、コ字状に形成されている。通信設備本体は通信設備取り付け孔２２に対応する位置にネジ孔を有しており、通信設備側取付板２は、通信設備取り付け孔２２にネジを挿入して通信設備のネジ孔にネジ止めすることにより、通信設備本体に取り付けられる。
【００１７】
固定箇所数と同数（本実施形態では４つ）の固定部材３は、支持材側取付板１の開口部１１に挿入可能であり、コ字状に形成されている。固定部材３は、通信設備本体を取り付けた通信設備側取付板２を、支持材に取り付けられた支持材側取付板１に、掛止部２１を開口部１１に挿入して掛止させた後に、開口部１１中の掛止部２１の上方の隙間を埋めて、掛止部２１を固定するためのものである。
【００１８】
図２は、本実施形態の通信設備用取付装置の要部の拡大図である。図２（ａ）は開口部１１の拡大図、図２（ｂ）は掛止部２１の拡大図、図２（ｃ）は固定部材３の拡大図を示し、図２（ｄ）は開口部１１の形状を示している。図２（ｄ）に示すように、開口部１１は、掛止部２１及び固定部材３が挿入される挿入孔１１１と、掛止部２１及び固定部材３が固定される固定孔１１３と、挿入孔１１１及び固定孔１１３の間に配置されるガイド孔１１２とを有する。開口部１１は、挿入孔１１１を上部とし、固定孔１１３を下部とするクランク状に形成されている。すなわち、ガイド孔１１２の下面及び挿入孔１１１の下面は連続しており、ガイド孔１１２の上面及び固定孔１１３の上面は連続している。
【００１９】
図２（ａ）〜（ｃ）は、各部の寸法を説明するために、略同一寸法の箇所に同一のアルファベットａ〜ｅを付してある。つまり、掛止部２１の高さと、固定部材３の高さと、挿入孔１１１の高さは略同一である（寸法ａ）。掛止部２１の厚さと、固定部材３の厚さは略同一である（寸法ｂ）。掛止部２１の横幅と、固定部材３の横幅と、挿入孔１１１の横幅と、固定孔１１３の横幅は略同一である（寸法ｃ）。掛止部２１の連結部２１２の厚さと、固定部材３の連結部３２の厚さと、ガイド孔１１２の高さと、固定孔１１３の高さ及びガイド孔１１２の高さの差は略同一である（寸法ｄ）。掛止部２１のコ字状を形成する溝２１１の幅と、固定部材３のコ字状を形成する溝３１の幅と、支持材側取付板１の厚さは略同一である（寸法ｅ）。なお、寸法ａ〜ｅは、０．１ｍｍ単位での公差を持たせることとする。
【００２０】
ただし、上述の寸法は一実施形態であり、例えば、掛止部２１の高さ、固定部材３の高さ、及び挿入孔１１１の高さを略同一（寸法ａ）とせずに、掛止部２１の高さ及び固定部材３の高さを異なる寸法とし、挿入孔１１１の高さを掛止部２１の高さ及び固定部材３の高さよりも高くしてもよい。また、掛止部２１の横幅と、固定部材３の横幅と、挿入孔１１１の横幅を略同一（寸法ｃ）とせずに、掛止部２１の横幅、固定部材３の横幅、挿入孔１１１の横幅の順に大きくしてもよい。
【００２１】
次に、図３乃至図５を参照して、本実施形態の通信設備用取付装置を用いた通信設備の支持材への取り付け方法を説明する。図３は、本実施形態の通信設備用取付装置を用いた通信設備の支持材への取り付けを説明する図であり、図４は通信設備側取付板２を支持材側取付板１に取り付ける前の通信設備用取付装置を示す図であり、図５は通信設備側取付板２を支持材側取付板１に取り付けた後の通信設備用取付装置を示す図である。なお、図５には、通信設備５に接続されるケーブル５２も併せて表示している。
【００２２】
まず、支持材側取付板１を固定バンドを用いて支持材４へ取り付け、通信設備側取付板２を通信設備５にネジ止めして取り付ける。次に、図３（ａ）に示すように、通信設備本体５を取り付けた通信設備側取付板２の掛止部２１を、支持材４に取り付けられた支持材側取付板１の挿入孔１１１に挿入し、掛止部２１の溝２１と挿入孔１１１の下面とを勘合させることにより、通信設備側取付板２を掛止する。続いて、通信設備側取付板２を、ガイド孔１１２に沿って固定孔１１３の方向へ摺動させ、固定孔１１３で下降させることにより、掛止部２１の溝２１１と固定孔１１３の下面とを勘合させて、通信設備側取付板２を掛止する。この時、掛止部２１の横幅と固定孔１１３の横幅は略同一であるので（寸法ｃ）、通信設備側取付板２を左右方向において固定することができる。また、通信設備５及び通信設備側取付板２は自重で支えられる。
【００２３】
次に、図３（ｂ）に示すように、固定部材３を挿入孔１１１に挿入する。続いて、固定部材３を、ガイド孔１１２に沿って固定孔１１３の方向へ、固定部材３が固定孔１１３に当接するまで摺動させる。図３（ｃ）は、固定部材３を開口部１１に取り付けた後の状態を示す。これにより、固定部材３の下面と掛止部２１の上面とが密接するので、通信設備側取付板２は、上下左右全ての方向において固定されることとなる。他の固定箇所についても同様の方法で固定する。
【００２４】
このように、本実施形態による通信設備用取付装置によれば、支持材側取付板１と支持材４との取り付け、及び通信設備側取付板２と通信設備５との取り付けを済ませた後は、通信設備５を支持材４に取り付ける際に工具が不要となり、通信設備５の取付及び交換を容易に行うことができる。また、本本実施形態による通信設備用取付装置は、１面のみで通信設備５を支持材４に固定することができるため、通信設備５のケーブルコネクタ５１に接続されるケーブル５２の配置場所の制約を少なくすることができる。
【００２５】
また、掛止部２１及び固定部材３は、コ字状に形成されており、掛止部２１の溝２１１の幅及び固定部材３の溝３1の幅は、支持材側取付板１の厚さと略同一であるので、単純な構造で通信設備の掛止及び固定が可能となる。
【００２６】
また、固定孔１１３の高さはガイド孔１１２の高さよりも高く、固定孔１１３の横幅は掛止部２１の横幅と略同一であるので、固定部材３を取り付ける前段階においても、掛止部２１を固定孔１１３の左右方向において密接させて通信設備側取付板２を固定することができ、かつ、通信設備５及び通信設備側取付板２は自重で支えられているため、安全に作業を行うことができる。
【００２７】
また、開口部１１にはガイド孔１１２が設けられているので、掛止部２１及び固定部材３の取り付けスムーズに行うことができる。
【００２８】
また、掛止部２１の連結部２１２の厚さと、固定部材３の連結部３２の厚さと、固定孔１１３の高さ及びガイド孔１１２の高さの差は略同一であるので、固定部材３を取り付けることで、掛止部２１を固定孔１１３に上下左右方向において密接させて通信設備側取付板２を固定することができる。
【００２９】
上述の実施例は、代表的な例として説明したが、本発明の趣旨及び範囲内で、多くの変更及び置換ができることは当業者に明らかである。従って、本発明は、上述の実施例によって制限するものと解するべきではなく、特許請求の範囲から逸脱することなく、種々の変形や変更が可能である。例えば、開口部１１を挿入孔１１１と固定孔１１３とからなる開口とし、ガイド孔１１２を設けない構成とすることもできる。
【符号の説明】
【００３０】
１      支持材側取付板
２      通信設備側取付板
３      固定部材
４      支持材
５      通信設備
１１    開口部
１２    支持材取り付け孔
２１    掛止部
２２    通信設備取り付け孔
３１，２１１  溝
３２，２１２  連結部
５１    ケーブルコネクタ
５２    ケーブル
１１１  挿入孔
１１２  ガイド孔
１１３  固定孔
【図１】
2012044841.tif 000003
【図２】
2012044841.tif 000004
【図３】
2012044841.tif 000005
【図４】
2012044841.tif 000006
【図５】
2012044841.tif 000007